(57)【要約】【課題】自重や衝撃、圧力などが加わって梱包材が変形したときであっても、建具の木口に設けられたクッション材の変形を防止する。【解決手段】戸先側木口２３に形成された切欠２１に弾性変形可能なクッション材２２が設けられた建具２０を戸先側木口板材１１および下端木口板材１２で梱包するに際し、戸先側木口板材１１の内側に空隙１１３を形成し、この空隙にクッション材が収められるようにする。戸先側木口板材は内側戸先側木口板材１１１と外側戸先側木口板材１１２とからなり、内側下端木口板材を短尺とすることにより空隙が形成される。下端木口板材は内側下端木口板材１２１と外側下端木口板材１２２とからなり、内側下端木口板材と外側戸先側木口板材とは縦勝ちに設けられる。【選択図】図３
2020023343.tif 000002
【特許請求の範囲】
【請求項１】
幅方向の少なくとも一方の木口の一部に形成された切欠に弾性変形可能なクッション材が設けられた建具を、少なくとも垂直木口材からなる木口材で梱包する梱包構造であって、垂直木口材は建具のクッション材が設けられた木口に当接するように設けられると共に、該木口当接面に形成される凹部によって該凹部の底面とクッション材との間に空隙が形成されるように設けられ、建具の幅方向両木口が一対の梱包材で被覆された状態で梱包されることを特徴とする、建具の梱包構造。
【請求項２】
さらに、建具の下端木口に当接するように設けられる水平木口材を有することを特徴とする、請求項１記載の建具の梱包構造。
【請求項３】
垂直木口材の下端は建具の下端からさらに下方に延長する突出部を有しており、水平木口材の幅方向一方の木口が垂直木口材の該突出部の内側面に当接して設けられることを特徴とする、請求項２記載の建具の梱包構造。
【請求項４】
幅方向の少なくとも一方の木口の一部に形成された切欠に弾性変形可能なクッション材が設けられた建具の梱包方法であって、建具のクッション材が設けられた木口に当接するように且つクッション材と接触しない空隙を形成するように垂直木口材を配置する工程と、建具の幅方向両木口を一対の梱包材で被覆する工程と、一対の梱包材で被覆された建具の表裏および幅方向両木口に結束具を周回させて梱包体として一体化させる工程と、を有することを特徴とする、建具の梱包方法。
【請求項５】
垂直木口材を配置する工程の後に、建具の下端木口に当接するように水平木口材を配置する工程を行うことを特徴とする、請求項４記載の建具の梱包方法。
【請求項６】
水平木口材を配置する工程において、水平木口材の幅方向一方の木口を、建具の下端からさらに下方に延長する垂直木口材の突出部の内側面に当接させて水平木口材を配置することを特徴とする、請求項５記載の建具の梱包方法。
【発明の詳細な説明】
【技術分野】
【０００１】
本発明は建具の梱包構造および梱包方法に関し、特に、幅方向の少なくとも一方の木口の一部に形成された切欠に弾性変形可能なクッション材が設けられたドアや引戸などの建具を梱包する梱包構造および梱包方法に関する。
【背景技術】
【０００２】
ドアなどの建具については、主として運搬中の傷付きを防止するために、段ボールなどからなる断面コの字形の梱包材を建具の端縁部や角部に取り付けて被覆することが従来から行われている（特許文献１）。
【先行技術文献】
【特許文献】
【０００３】
【特許文献１】実開昭６０−３３０９２号公報
【特許文献２】特開２００７−１３８５８７号公報
【発明の概要】
【発明が解決しようとする課題】
【０００４】
しかしながら、指挟み時の怪我を防止ないし軽減するために軟質樹脂からなるクッション材が木口（戸先側木口および／または戸尻側木口）に設けられた建具（特許文献２）の場合、これを上記従来技術による梱包材で梱包した梱包体を、該クッション材が設けられた木口を下にして立てかけると、建具の自重によって梱包材が変形し、同時にクッション材が変形してしまうという問題があった。
【０００５】
また、このような建具の運搬中などにおいてクッション材が設けられた木口が構造物などに衝突して衝撃が加わったときや、ＰＰバンドなどの結束具を用いて梱包体（梱包材で梱包された建具）を結束するときも、衝撃や結束による圧力を受けて梱包材と共にクッション材が変形することがあった。
【０００６】
したがって、本発明が解決しようとする課題は、自重や衝撃、圧力などが加わって梱包材が変形したときであっても、建具の木口に設けられたクッション材の変形を防止することができる新規な建具の梱包構造および梱包方法を提供することである。
【課題を解決するための手段】
【０００７】
この課題を解決するため、本願の請求項１に係る発明は、幅方向の少なくとも一方の木口の一部に形成された切欠に弾性変形可能なクッション材が設けられた建具を、少なくとも垂直木口材からなる木口材で梱包する梱包構造であって、垂直木口材は建具のクッション材が設けられた木口に当接するように設けられると共に、該木口当接面に形成される凹部によって該凹部の底面とクッション材との間に空隙が形成されるように設けられ、建具の幅方向両木口が一対の梱包材で被覆された状態で梱包されることを特徴とする。
【０００８】
本願の請求項２に係る発明は、請求項１記載の建具の梱包構造において、さらに、建具の下端木口に当接するように設けられる水平木口材を有することを特徴とする。
【０００９】
本願の請求項３に係る発明は、請求項２記載の建具の梱包構造において、垂直木口材の下端は建具の下端からさらに下方に延長する突出部を有しており、水平木口材の幅方向一方の木口が垂直木口材の該突出部の内側面に当接して設けられることを特徴とする。
【００１０】
本願の請求項４に係る発明は、幅方向の少なくとも一方の木口の一部に形成された切欠に弾性変形可能なクッション材が設けられた建具の梱包方法であって、建具のクッション材が設けられた木口に当接するように且つクッション材と接触しない空隙を形成するように垂直木口材を配置する工程と、建具の幅方向両木口を一対の梱包材で被覆する工程と、一対の梱包材で被覆された建具の表裏および幅方向両木口に結束具を周回させて梱包体として一体化させる工程と、を有することを特徴とする。
【００１１】
本願の請求項５に係る発明は、請求項４記載の建具の梱包方法において、垂直木口材を配置する工程の後に、建具の下端木口に当接するように水平木口材を配置する工程を行うことを特徴とする。
【００１２】
本願の請求項６に係る発明は、請求項５記載の建具の梱包方法において、水平木口材を配置する工程において、水平木口材の幅方向一方の木口を、建具の下端からさらに下方に延長する垂直木口材の突出部の内側面に当接させて水平木口材を配置することを特徴とする。
【発明の効果】
【００１３】
請求項１に係る本発明の建具の梱包構造によれば、建具においてクッション材が設けられる戸先側木口が垂直木口材で被覆された上から梱包材で梱包されるので、梱包材に凹みや破れが生じても、垂直木口材で保護される。したがって、建具の戸先側木口の損傷を防ぐことができる。
【００１４】
また、垂直木口材の凹部底面とクッション材との間に空隙が形成され、この空隙にクッション材を収容することができるので、クッション材は垂直木口材とは非接触に保持される。したがって、運搬時などに建具に自重や衝撃、圧力などが加わっても、クッション材の弾性変形によるクッション機能を低下させることがなく、所期の指挟み防止効果を長期に亘って維持することができる。
【００１５】
請求項２に係る本発明の建具の梱包構造によれば、建具の下端木口が水平木口材で被覆された上から梱包材で梱包されるので、梱包材に凹みや破れが生じても、水平木口材で保護される。したがって、梱包体を乱暴に立てかけたようなときであっても、建具の下端木口の損傷を防ぐことができる。
【００１６】
請求項３に係る本発明の建具の梱包構造によれば、建具の戸先側木口と下端木口との角部において垂直木口材と水平木口材とがいわゆる縦勝ちの配置関係で設けられるので、垂直木口材が内側（空隙を狭める方向）にずれることを防止する。したがって、垂直木口材に内方向への圧力が加わっても、空隙が確保され、クッション材の変形を防止する効果を損なわずに維持することができる。
【００１７】
請求項４に係る本発明の建具の梱包方法によれば、建具においてクッション材が設けられる戸先側木口の損傷を防止すると共に、クッション材による指挟み防止効果を維持することができる。また、ＰＰバンドなどの結束具を用いて結束することにより、建具が垂直木口材および梱包材と共に一体化され、建具が緊密に梱包された梱包体を得ることができる。
【００１８】
請求項５に係る本発明の建具の梱包方法によれば、建具の下端木口が水平木口材で被覆された上から梱包材で梱包されるので、梱包材に凹みや破れが生じても、水平木口材で保護される。したがって、梱包体を乱暴に立てかけたようなときであっても、建具の下端木口の損傷を防ぐことができる。
【００１９】
請求項６に係る本発明の建具の梱包方法によれば、建具の戸先側木口と下端木口との角部において垂直木口材と水平木口材とがいわゆる縦勝ちの配置関係で設けられるので、垂直木口材が内側（空隙を狭める方向）にずれることを防止する。したがって、垂直木口材に内方向への圧力が加わっても、空隙が確保され、クッション材の変形を防止する効果を損なわずに維持することができる。
【図面の簡単な説明】
【００２０】
【図１】本発明の一実施形態（実施例１）による建具の梱包構造を示す正面図である。
【図２】実施例１の梱包構造から一対の梱包材およびＰＰバンド（結束具）を除いた状態を示す正面図である。
【図３】実施例１の梱包構造の四隅部を主に示す一部破断拡大正面図である。この図において、各材の配置および長さなどが容易に理解できるように、戸先側木口板材（内側戸先側木口板材および外側戸先側木口板材）、下端木口板材（内側下端木口板材および外側下端木口板材）および梱包材にはそれぞれハッチングを付して示されている。
【図４】実施例１の変形例による建具の梱包構造を示す、図３と同様の一部破断拡大正面図である（梱包材は図示省略）。
【図５】実施例１の他の変形例による建具の梱包構造を示す、図３と同様の一部破断拡大正面図である（梱包材は図示省略）。
【図６】本発明の他の実施形態（実施例２）による建具の梱包構造から一対の梱包材およびＰＰバンド（結束具）を除いた状態を示す、図２と同様の正面図である。
【図７】実施例２の梱包構造の四隅部を主に示す、図３と同様の一部破断拡大正面図である（梱包材は図示省略）。
【図８】本発明のさらに他の実施形態（実施例３）による建具の梱包構造から一対の梱包材およびＰＰバンド（結束具）を除いた状態を示す、図２と同様の正面図である。
【図９】実施例３の梱包構造の四隅部を主に示す、図３と同様の一部破断拡大正面図である（梱包材は図示省略）。
【発明を実施するための最良の形態】
【００２１】
以下に本発明の実施例および変形例を挙げて詳細に説明する。
【実施例１】
【００２２】
図１ないし図３を参照して、本発明の実施例１による建具の梱包構造について説明する。この梱包構造１０は、ドアまたは引戸として構成される建具２０を、戸先側木口板材１１、下端木口板材１２、角当て１３、梱包材１４およびＰＰバンド（結束具）１５で梱包してなるものである。実施例１における建具２０は、戸先側木口２３の近くに引手２５が設けられた引戸であり、中央上下２箇所にガラスなどが嵌め込まれた採光部２６，２６を有するものとして示されている。
【００２３】
建具２０には、戸先側木口２３の上下方向略中央から下端木口２４にかけて延長する切欠２１（図３）が形成され、この切欠２１に軟質樹脂からなるクッション材２２が設けられている。クッション材２２の取付手法は問わないが、たとえば、切欠２１の側面に金属製のレール（図示せず）が固定され、この金属製レールに断面略コ字形のクッション材２２を係合させて取り付けることができる。クッション材２２は、特許文献２に記載されるように、建具２０を閉止する際に、建具２０の戸先側木口２３と開口縦枠（図示せず）との間に指が挟まって怪我をすることを防止ないし軽減するために設けられる。
【００２４】
戸先側木口板材１１は、建具２０の戸先側木口２３を被覆するものであり、内側戸先側木口板材１１１と外側戸先側木口板材１１２とからなる。内側戸先側木口板材１１１と外側戸先側木口板材１１２はいずれも合板、ＬＶＬ、ＭＤＦなどの繊維板その他の木質材からなる板材であるが、内側戸先側木口板材１１１は、建具２０に取り付けられたクッション材２２と干渉しないように、建具２０の戸先側木口２３の上方部分のみを覆うように設けられる比較的短尺の板材であるのに対し、外側戸先側木口板材１１２は、内側戸先側木口板材１１１の外側に、建具２０の戸先側木口２３の全般を覆うように設けられる長尺の板材である。したがって、内側戸先側木口板材１１１が設けられない建具２０の戸先側木口２３の下方部分（クッション材２２が存在する部分）において、外側戸先側木口板材１１２と建具２０の戸先側木口２３との間には空隙１１３が形成され、この空隙１１３によって後述するようにクッション材２２の変形を防止する。好ましい一例として、内側戸先側木口板材１１１および外側戸先側木口板材１１２の厚さ（建具２０の幅方向）はいずれも１２ｍｍ以上であり、したがって空隙１１３も１２ｍｍ以上である。内側戸先側木口板材１１１および外側戸先側木口板材１１２の幅（建具２０の厚さ方向）はいずれも建具２０の厚さと略同一である。
【００２５】
下端木口板材１２は、建具２０の下端木口２４を被覆するものであり、内側下端木口板材１２１と外側下端木口板材１２２とからなる。内側下端木口板材１２１と外側下端木口板材１２２はいずれも合板、ＬＶＬ、ＭＤＦなどの繊維板その他の木質材からなる長尺ないし短冊状の板材であるが、内側下端木口板材１２１は、建具２０の下端木口２４の全般を覆うように設けられる長尺の板材であるのに対し、外側下端木口板材１２２は、建具２０の下端木口２４のうち戸先側木口２３に近い部分のみを覆うように設けられる比較的短尺の板材である。好ましい一例として、内側下端木口板材１２１および外側下端木口板材１２２の厚さ（高さ方向）はいずれも１２ｍｍ以上である。内側下端木口板材１２１および外側下端木口板材１２２の幅（建具２０の厚さ方向）はいずれも建具２０の厚さと略同一である。
【００２６】
なお、この実施形態では、内側下端木口板材１２１が建具２０の戸先側木口２３から内側戸先側木口板材１１１の厚さ相当分だけ戸先方向に突出して設けられると共に、外側戸先側木口板材１１２の下端が建具２０の下端木口２４から内側下端木口板材１２１の厚さ相当分だけ下方に突出して設けられており、内側下端木口板材１２１の戸先側木口が、外側戸先側木口板材１１２の下端突出部１１２ａの内側面に当接するように設けられている（いわゆる縦勝ちの状態）。
【００２７】
また、この実施形態では、外側下端木口板材１２２は、内側下端木口板材１２１の戸先側木口から外側戸先側木口板材１１２の厚さ相当分だけ戸先方向にさらに突出する長さを有しており、この突出部１２２ａに外側戸先側木口板材１１２の下端が当接するように設けられている（いわゆる横勝ちの状態）。これにより、縦勝ちで当接する内側下端木口板材１２１と外側戸先側木口板材１１２との継目が外側下端木口板材１２２の突出部１２２ａで覆われ、外側戸先側木口板材１１２のめくれを防止することができる。
【００２８】
角当て１３は硬質樹脂などからなり、建具２０の厚さに相当する幅の中空部を有し、建具２０の角部に嵌め込んで取り付けることにより該角部を保護するものである。この実施形態では、３つの角当て１３、すなわち、建具２０自体の戸尻側上端角部に装着される角当て１３ａと、内側下端木口板材１２１越しに建具２０の戸尻側下端角部に装着される角当て１３ｂと、戸先側木口板材１１（外側戸先側木口板材１１２）越しに建具２０の戸先側上端角部に装着される角当て１３ｃが用いられている。戸尻側において上端角部に装着される角当て１３ａと下端角部に装着される角当て１３ｂは連結板１６（例えば厚さ２ｍｍ）で連結され、角当て１３ａと角当て１３ｂとの間隔を建具２０の高さに対応する一定寸法に維持している。なお、この実施形態によれば、建具２０の戸先側下端角部は外側戸先側木口板材１１２、内側下端木口板材１２１および外側下端木口板材１２２で被覆されていることによって傷付きから十分に保護されているので、戸先側下端角部の角当ては省略されているが、この角部にも角当てを装着しても良いことは言うまでもない。戸先側下端角部に角当てを設ける場合は、外側下端木口板材１２２は省略可能である。
【００２９】
梱包材１４は、建具２０の戸先側木口２３に戸先側木口板材１１（内側戸先側木口板材１１１および外側戸先側木口板材１１２）が設けられると共に下端木口２４に下端木口板材１２（内側下端木口板材１２１および外側下端木口板材１２２）が設けられ、さらに角当て１３ａ〜１３ｃが設けられた状態で、戸先側木口２３から表裏面の一部にかけて連続して被覆する戸先側梱包材１４１と、戸尻側木口２７から表裏面の一部にかけて連続して被覆する戸尻側梱包材１４２の一対からなる。戸先側梱包材１４１および戸尻側梱包材１４２は、いずれも、建具２０の高さ（および角当て１３ａ〜１３ｃが建具２０の上下木口から突出する僅かな寸法）に亘る高さ寸法を有して略コ字形に形成された段ボールからなり、その幅方向中央部で建具２０（戸先側木口板材１１）の外側木口を被覆し、該中央部から両側に略直角に延長する両側部で建具２０の表裏面の一部を被覆する。
【００３０】
ＰＰバンド１５は、上記のようにして梱包材１４（戸先側梱包材１４１および戸尻側梱包材１４２）が設けられた状態で、略水平方向に数本（図示実施形態では３本）用いられる。これにより、建具２０に戸先側木口板材１１（内側戸先側木口板材１１１および外側戸先側木口板材１１２）、下端木口板材１２（内側下端木口板材１２１および外側下端木口板材１２２）および角当て１３ａ〜１３ｃが設けられてＰＰバンド１５で一体に結束された梱包体１０が得られる。なお、建具２０の表裏面の中央部には、梱包材１４（戸先側梱包材１４１および戸尻側梱包材１４２）で被覆されずに露出する領域が残されるので、この部分がＰＰバンド１５に接して傷付くことを防ぐために、梱包材１４（戸先側梱包材１４１および戸尻側梱包材１４２）を設けた上から樹脂製フィルムなどの包装材（図示せず）で包装した後に、ＰＰバンド１５で結束することが好ましい。あるいは、梱包前（各木口板材や角当てを配置する前）の建具２０を包装材で包装しても良い。
【００３１】
以上に述べた梱包工程は、建具２０を平置きにした状態で行われ、ＰＰバンド１５で結束することにより、各木口板材（内側戸先側木口板材１１１，外側戸先側木口板材１１２，内側下端木口板材１２１，外側下端木口板材１２２）が角当て１３ａ〜１３ｃおよび梱包材１４１，１４２により建具２０の各木口に押し付けられ、各木口板材が所定の位置関係を保持したまま、建具２０を緊密に梱包することができる。
【００３２】
上記構成の梱包体１０によれば、建具２０の戸先側木口２３は、木質材料からなる戸先側木口板材１１（内側戸先側木口板材１１１および外側戸先側木口板材１１２）で被覆された上から、段ボールからなる戸先側梱包材１４１で梱包される。したがって、戸先側梱包材１４１に凹みや破れが生じても、強度のある戸先側木口板材１１（特に全高に亘る長尺の外側戸先側木口板材１１２）で保護されるので、建具２０の戸先側木口２３の損傷を防ぐことができる。さらに、内側戸先側木口板材１１１を短尺にして、外側戸先側木口板材１１２と建具２０の戸先側木口２３との間に空隙１１３を形成することにより、この空隙１１３にクッション材２２を収容することができるので、クッション材２２は外側戸先側木口板材１１２とは非接触に保持される。したがって、運搬時などに建具２０に自重や衝撃、圧力などが加わったときも、クッション材２２の変形（厚さ方向）が防止され、所期の指挟み防止効果が損なわれない。
【００３３】
また、建具２０の下端木口２４は、木質材料からなる下端木口板材１２（内側下端木口板材１２１および外側下端木口板材１２２）で被覆された上から、段ボールからなる梱包材１４（戸先側梱包材１４１および戸尻側梱包材１４２）で梱包されるので、梱包材１４に凹みや破れが生じても、強度のある下端木口板材１２（特に全幅に亘る長尺の内側下端木口板材１２１）で保護される。したがって、この梱包体１０を乱暴に立てかけたようなときであっても、建具２０の下端木口２４の損傷を防ぐことができる。また、クッション材２２の下端が内側下端木口板材１２１と外側下端木口板材１２２とによって二重に被覆されているので、この梱包体１０を乱暴に立てかけたようなときであっても、クッション材２２の変形（上下方向）を防止することができる効果がより顕著に発揮される。
【００３４】
また、外側戸先側木口板材１１２と内側下端木口板材１２１とが縦勝ちの状態で配置されているので、外側戸先側木口板材１１２が内側（空隙１１３を狭める方向）にずれることを防止する。したがって、外側戸先側木口板材１１２の下方部分（内側戸先側木口板材１１１が存在しない部分）に内方向への圧力が加わっても、空隙１１３が確保され、クッション材２２の変形を防止する効果を損なわずに維持することができる。戸尻側下端角部に角当て１３ｂが取り付けられた状態で戸尻側梱包材１４２がＰＰバンド１５で結束されることにより、内側下端木口板材１２１の戸尻方向へのずれが防止されていることも、上記した縦勝ち配置による外側戸先側木口板材１１２の内側へのずれを防止して空隙１１３を確保する効果を与えることに寄与している。
【００３５】
上記した図示実施形態では、戸先側木口板材１１が内側戸先側木口板材１１１と外側戸先側木口板材１１２とからなり、下端木口板材１２が内側下端木口板材１２１と外側下端木口板材１２２とからなるものとし、これらをそれぞれ独立した状態（一体化せずに分離された状態）で用いているが、それぞれの内側木口板材１１１，１２１と外側木口板材１１２，１２２とを接着剤やステープルなどで一体化して用いても良い。
【００３６】
また、図４に示すように、内側戸先側木口板材１１１に相当する部分１１ａと外側戸先側木口板材１１２に相当する部分１１ｂとを有するように形成した単一の戸先側木口板材１１を用い、内側下端木口板材１２１に相当する部分１２ａと外側下端木口板材１２２に相当する部分１２ｂとを有するように形成した単一の下端木口板材１２を用いても良い。この場合の単一の戸先側木口板材１１は、建具２０の戸先側木口２３に当接する内側面の下方部を切除することにより、クッション材２２を非接触に収容するための空隙１１３を形成する。戸先側木口板材１１と下端木口板材１２は、それぞれ独立した状態（一体化せずに分離された状態）で用いても良いし、接着剤やステープルなどで一体化して用いても良い。あるいはまた、図５に示すように、図４の戸先側木口板材１１に相当する部分１７ａと下端木口板材１２に相当する部分１７ｂとを有するように断面略Ｌ字形に形成した単一の木口板材１７を用いても良い。
【実施例２】
【００３７】
図６および図７を参照して、本発明の実施例２による建具の梱包構造について説明する。この梱包構造は、実施例１の梱包構造１０と同様に、建具（引戸）２０を、戸先側木口板材１１、下端木口板材１２、角当て１３、梱包材１４およびＰＰバンド（結束具）１５で梱包してなるものであるが、建具２０の戸先側木口２３において切欠２１ａに戸先側クッション材２２ａが設けられるだけでなく、戸尻側木口２７においても同様に切欠２１ｂにクッション材２２ｂが設けられており、これに伴って、建具２０の木口を被覆する板材の構成および配置が異なっている。
【００３８】
すなわち、この実施形態によると、建具２０の戸先側木口２３において、実施例１と同様に、内側戸先側木口板材１１１と外側戸先側木口板材１１２とからなる戸先側木口板材１１が設けられることに加えて、建具２０の戸尻側木口２７においても、内側戸尻側木口板材１８１と外側戸尻側木口板材１８２とからなる戸尻側木口板材１８が設けられる。内側戸尻側木口板材１８１と外側戸尻側木口板材１８２とからなる戸尻側木口板材１８の材質、寸法、配置関係などは、内側戸先側木口板材１１１と外側戸先側木口板材１１２とからなる戸先側木口板材１１と同様であって良いので、説明を割愛する。戸尻側に形成される空隙１１３と同様に、外側戸尻側木口板材１８２と建具２０の戸尻側木口２７との間には空隙１８３が形成され、この空隙１８３によって既述したと同様にしてクッション材２２ｂの変形を防止することができる。図７に示されるように、この実施形態による木口板材（戸先側、戸尻側、下端）および角当ての配置は、幅方向中心線について対称である。
【００３９】
この実施形態では、建具２０の戸先側木口２３と戸尻側木口２７の両方に下端木口２４に至るまでクッション材２２ａ，２２ｂが設けられているので、内側下端木口板材１２１の戸先側に外側下端木口板材１２２が設けられることに加えて、戸尻側にも外側下端木口板材１２２が設けられる。戸尻側の外側下端木口板材１２２の材質、寸法、配置関係などは、戸先側の外側下端木口板材１２２と同様であって良いので、説明を割愛する。この実施形態によれば、建具２０の戸先側下端角部は外側戸先側木口板材１１２、内側下端木口板材１２１および外側下端木口板材１２２で被覆されていることによって、また、建具２０の戸尻側下端角部は外側戸尻側木口板材１８２、内側下端木口板材１２１および外側下端木口板材１２２で被覆されていることによって、それぞれ傷付きから十分に保護されているので、戸先側下端角部および戸尻側下端角部には角当てが装着されていないが、これらの角部にも角当てを装着しても良いことは言うまでもない。これらの下端角部に角当てを設ける場合は、外側下端木口板材１２２，１２２は省略可能である。
【００４０】
実施例２における上記以外の構成および作用効果は、実施例１による建材の梱包構造１０について既述した構成および作用効果と同様またはこれから容易に類推可能であるので、説明を割愛する。
【実施例３】
【００４１】
図８および図９を参照して、本発明の実施例３による建具の梱包構造について説明する。この梱包構造は、実施例１の梱包構造１０と同様に、建具（引戸）２０を、戸先側木口板材１１、下端木口板材１２、角当て１３、梱包材１４およびＰＰバンド（結束具）１５で梱包してなるものであるが、実施例１では建具２０の戸先側木口２３において高さ方向略中央から下端木口２４に至るように形成された切欠２１にクッション材２２が設けられるのに対し、この実施例３では、建具２０の戸先側木口２３において下端木口２４には達しないように形成された切欠２１にクッション材２２が設けられており、これに伴って、建具２０の木口を被覆する板材の構成および配置が異なっている。
【００４２】
すなわち、この実施形態によると、内側戸先側木口板材１１１が、建具２０の切欠２１の上端より僅かに上方の位置から上端木口２８にかけて戸先側木口２３を覆う上方内側戸先側木口板材１１１ａと、建具２０の切欠２１の下端よりわずかに下方の位置から下端木口２４にかけて戸先側木口２３を覆う下方内側戸先側木口板材１１１ｂとに分割して形成されており、内側戸先側木口板材１１１（上方内側戸先側木口板材１１１ａおよび下方内側戸先側木口板材１１１ｂ）および外側戸先側木口板材１１２を建具２０の戸先側木口２３に設けたときに、内側戸先側木口板材１１１が設けられない建具２０の戸先側木口２３の高さ方向略中央部分（クッション材２２が存在する部分）において、外側戸先側木口板材１１２と建具２０の戸先側木口２３との間に空隙１１３が形成され、この空隙１１３によって既述したようにクッション材２２の変形を防止するように構成されている。
【００４３】
この実施形態によれば、クッション材２２が建具２０の下端木口２４に露出しないので、建具２０の下端木口２４を被覆・保護する下端木口板材１２（内側下端木口板材１２１および外側下端木口板材１２２）は不要となるが、建具２０の戸先側下端角部を保護するための角当て１３ｄを装着する必要がある。すなわち、この実施形態では、建具２０の四隅を保護するために計４個の角当て１３ａ〜１３ｄが取り付けられる。
【００４４】
実施例３における上記以外の構成および作用効果は、実施例１による建材の梱包構造１０について既述した構成および作用効果と同様またはこれから容易に類推可能であるので、説明を割愛する。
【００４５】
以上に本発明について図示実施形態に基いて詳述したが、本発明はこれに限定されず、特許請求の範囲の記載に基いて解釈される発明の範囲内において多種多様に変形ないし変更して実施可能である。たとえば、木口板材（戸先側、戸尻側、下端）は、入手容易性およびコストなどの観点から木質材料で形成することが一般に好適であるが、合成樹脂、金属またはこれらを部分的に組み合わせて木口板材を形成しても良い。
【００４６】
また、図示実施形態では、外側下端木口板材１２２（図３，図７）を内側下端木口板材１２１より短尺にして、建具２０の戸尻側木口２７側の下端（図３）または建具２０の幅方向中央の下端（図７）に内側下端木口板材１２１との間に隙間が形成されるようにしているが、外側下端木口板材１２２を建具２０の戸尻側木口２７に当接するように延長し、または左右一対の外側下端木口板材１２２，１２２を単一の長尺材として形成して、内側下端木口板材２１と隙間なく当接するように設けても良い。図５に示す実施形態においても、下端木口板材１２に相当する部分１７ｂを全長に亘って同じ厚さ（図５において建具２０の戸先側木口２３側の厚さ）に形成して用いても良い。
【符号の説明】
【００４７】
１０  建具の梱包構造
１１  戸先側木口板材（垂直木口材）
１１１  内側戸先側木口板材
１１２  外側戸先側木口板材
１１３  空隙
１２  下端木口板材（水平木口材）
１２１  内側下端木口板材
１２２  外側下端木口板材
１３（１３ａ〜１３ｃ）  角当て
１４（１４１，１４２）  梱包材
１５  ＰＰバンド（結束具）
１６  連結板
１７  単一の木口板材（垂直木口材および水平木口材）
１８  戸先側木口板材（垂直木口材）
１８１  内側戸先側木口板材
１８２  外側戸先側木口板材
１８３  空隙
２０  建具
２１  切欠
２２  クッション材
２３  戸先側木口
２４  下端木口
２５  引手
２６  採光部
２７  戸尻側木口
２８  上端木口
【図１】
2020023343.tif 000003
【図２】
2020023343.tif 000004
【図３】
2020023343.tif 000005
【図４】
2020023343.tif 000006
【図５】
2020023343.tif 000007
【図６】
2020023343.tif 000008
【図７】
2020023343.tif 000009
【図８】
2020023343.tif 000010
【図９】
2020023343.tif 000011